【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
メディアに対する生理学的反応の集約をサポートするシステムであって、
前記メディアにおいて複数の視聴者が相互作用する複数のイベントを決定し、前記複数の視聴者のそれぞれが前記複数のイベントのそれぞれにおいて費やす時間期間を計算するように動作可能な決定モジュールと、
前記複数のイベントのそれぞれを視聴する前記複数の視聴者それぞれからの生理学的データを受信及び／又は測定するように動作可能な一つ又はそれ以上のセンサと、
前記複数の視聴者それぞれの前記生理学的データから前記複数のイベントそれぞれに対する生理学的反応を導き出し、前記複数の視聴者に渡る前記複数のイベントのそれぞれに対する前記反応を集約し、前記複数のイベントを前記複数の視聴者による順序に結合し、前記順序付けられた複数のイベントに対する前記集約された反応に基づいてプロフィールを作成するように動作可能なプロフィール作成モジュールと、
を備えるシステム。
【請求項２】
請求項１記載のシステムであって、前記一つ又はそれ以上のセンサが、更に、前記メディアを視聴している前記複数の視聴者それぞれから測定された前記生理学的データを記録するように動作可能であるシステム。
【請求項３】
請求項１記載のシステムであって、前記メディアが本来インタラクティブな、時間に応じて変化するメディアであるシステム。
【請求項４】
請求項１記載のシステムであって、前記メディアが、ビデオゲーム、広告クリップ、インタラクティブ映画、インタラクティブ・ビデオ、コンピュータ・アプリケーション、印刷メディア、ウェブサイト、オンライン広告、録画ビデオ、メディアのライブ・パフォーマンス、及び他の次世代メディアのうちの一つであるシステム。
【請求項５】
請求項１記載のシステムであって、前記複数の視聴者のそれぞれが前記複数のイベントのそれぞれにおいて費やす時間期間が、時間において定数、非線形又は準線形であるシステム。
【請求項６】
請求項１記載のシステムであって、前記視聴者のうちの二人が前記複数のイベントのうちの一つにおいて費やす時間期間が異なっているシステム。
【請求項７】
請求項１記載のシステムであって、前記一つ又はそれ以上のセンサのそれぞれが、脳電図、加速度計、血液酸素センサ、検流計、筋電計、皮膚温度センサ、呼吸センサ及び任意の他の生理学的センサのうちの一つであるシステム。
【請求項８】
請求項１記載のシステムであって、前記一つ又はそれ以上のセンサが、一つ又はそれ以上の軸加速度計と、一つ又はそれ以上のＥＥＧ電極と、一つ又はそれ以上の心拍計と、処理ユニットとのうちの一つ又はそれ以上を備える統合されたセンサ・ヘッドセットを含むシステム。
【請求項９】
請求項１記載のシステムであって、前記生理学的データが、心拍数、脳波、ＥＥＧ信号、まばたき率、呼吸、身振り、筋肉の動き、電気皮膚反応、及び感情の変化に関連する任意の他の反応のうちの一つ又はそれ以上であるシステム。
【請求項１０】
請求項１記載のシステムであって、前記生理学的反応が、前記メディアの前記複数のイベントそれぞれに対する思考量、肯定的／否定的反応、感情的な関わり、体験への没頭、相互作用への肉体的な参加、怒り、注意散漫、欲求不満及び他の感情的体験のうちの一つであるシステム。
【請求項１１】
請求項１記載のシステムであって、前記プロフィールが、前記複数の視聴者がいつ、及び／又は、前記複数のイベントのうちのいずれに関心を持っているか、及び、前記複数の視聴者がいつ及び／又は何に関心を持っていないか、を正確に決定するために利用されるシステム。
【請求項１２】
請求項１記載のシステムであって、前記プロフィールが、前記複数の視聴者からの所望の反応を生成するために、前記複数のイベントのうちのいずれを変更する必要があるかを決定するために利用されるシステム。
【請求項１３】
請求項１記載のシステムであって、前記決定モジュールが、更に、前記複数の視聴者のそれぞれが相互作用している前記メディアにおける位置を識別するように動作可能であるシステム。
【請求項１４】
請求項１記載のシステムであって、前記決定モジュールが、更に、自動化された記録プロセスを通して前記複数のイベントを決定するように動作可能であるシステム。
【請求項１５】
請求項１記載のシステムであって、前記決定モジュールが、更に、前記メディアの種別に基づいて前記複数のイベントを決定するように動作可能であるシステム。
【請求項１６】
請求項１記載のシステムであって、前記プロフィール作成モジュールが、更に、前記複数の視聴者に対して、前記反応の強さ、及びそのような反応が起こる時間の平均をとることにより、前記複数のイベントのうちのそれぞれに対する反応を集約するように動作可能であるシステム。
【請求項１７】
請求項１記載のシステムであって、前記プロフィール作成モジュールが、更に、前記メディアの時間又は位置において、前記複数のイベントを順序付けるように動作可能であるシステム。
【請求項１８】
メディアに対する生理学的反応の比較をサポートするシステムであって、
前記メディアにおいて複数の視聴者が相互作用する複数のイベントを決定し、前記複数の視聴者のそれぞれが前記複数のイベントのそれぞれにおいて費やす時間期間を計算するように動作可能な決定モジュールと、
前記複数のイベントのそれぞれを視聴する前記複数の視聴者それぞれからの生理学的データを受信及び／又は測定するように動作可能な一つ又はそれ以上のセンサと、
前記複数の視聴者それぞれの前記生理学的データから前記複数のイベントそれぞれに対する生理学的反応を導き出し、前記複数の視聴者に渡る前記複数のイベントのそれぞれに対する前記反応を集約するように動作可能なプロフィール作成モジュールと、
前記複数の視聴者に渡る前記複数のイベントのうちの二つ又はそれ以上に対する前記反応を、客観的に比較するように動作可能な評価モジュールと、
を備えるシステム。
【請求項１９】
請求項１８記載のシステムであって、前記評価モジュールが、更に、前記反応の一貫性、前記反応の総計の又は平均の大きさ、及び前記反応の大きさの変化のうちの一つ又はそれ以上を測定することを介して、前記複数のイベントのうちの二つ又はそれ以上に対する前記反応を比較するように動作可能であるシステム。
【請求項２０】
請求項１８記載のシステムであって、前記評価モジュールが、更に、前記メディアの前記複数のイベントに対する前記反応に基づいて、前記メディアを、得点で評価及び／又は改善するように動作可能であるシステム。
【請求項２１】
請求項２０記載のシステムであって、前記評価モジュールが、更に、前記得点の原因となる前記メディアの一つ又はそれ以上のイベントを指摘するように動作可能であるシステム。
【請求項２２】
請求項２０記載のシステムであって、前記評価モジュールが、更に、前記メディアを非線形重み付けにより評価するように動作可能であるシステム。
【請求項２３】
メディアに対する生理学的反応の比較をサポートするシステムであって、
前記メディアにおいて複数の視聴者が相互作用する複数のイベントを決定し、前記複数の視聴者のそれぞれが前記複数のイベントのそれぞれにおいて費やす時間期間を計算するように動作可能な決定モジュールと、
前記複数のイベントそれぞれを視聴する前記複数の視聴者それぞれからの生理学的データを受信及び／又は測定するように動作可能な一つ又はそれ以上のセンサと、
前記複数の視聴者それぞれの前記生理学的データから前記複数のイベントそれぞれに対する生理学的反応を導き出し、前記複数の視聴者に渡る前記複数のイベントそれぞれに対する前記反応を集約し、前記複数のイベントを順番に結合するように動作可能なプロフィール作成モジュールと、
前記順番付けられた複数のイベントに対する前記複数の視聴者からの前記反応の一貫性を計算するように動作可能な評価モジュールと、
を備えるシステム。
【請求項２４】
メディアに対する生理学的反応の集約をサポートする方法であって、
前記メディアにおいて複数の視聴者が相互作用する複数のイベントを決定するステップと、
前記複数の視聴者のそれぞれが前記複数のイベントのそれぞれにおいて費やす時間期間を計算するステップと、
前記複数のイベントそれぞれを視聴する前記複数の視聴者それぞれからの生理学的データを受信及び／又は測定するステップと、
前記複数の視聴者それぞれについて、前記生理学的データから生理学的反応を導き出すステップと、
前記複数の視聴者に渡る前記複数のイベントのそれぞれに対する前記反応を集約するステップと、
前記複数のイベントを順番に結合するステップと、
前記順序付けられた複数のイベントに対する前記集約された反応に基づいてプロフィールを作成するステップと、
を備える方法。
【請求項２５】
請求項２４記載の方法であって、更に、前記複数の視聴者について、前記反応の強さ、及びそのような反応が起こる時間の平均をとることにより、前記複数のイベントのそれぞれに対する前記反応を集約するステップを備える方法。
【請求項２６】
請求項２４記載の方法であって、更に、前記複数の視聴者のそれぞれが相互作用している前記メディアにおける位置を識別するステップを備える方法。
【請求項２７】
請求項２４記載の方法であって、更に、前記複数の視聴者がいつ、及び／又は、前記複数のイベントのうちのいずれに関心を持っているか、及び、前記複数の視聴者がいつ及び／又は何に関心を持っていないか、を正確に決定するステップを備える方法。
【請求項２８】
メディアに対する生理学的反応の比較をサポートする方法であって、
前記メディアにおいて複数の視聴者が相互作用する複数のイベントを決定するステップと、
前記複数の視聴者のそれぞれが前記複数のイベントのそれぞれにおいて費やす時間期間を計算するステップと、
前記複数のイベントそれぞれを視聴する前記複数の視聴者それぞれからの生理学的データを受信及び／又は測定するステップと、
前記複数の視聴者それぞれについて、前記生理学的データから生理学的反応を導き出すステップと、
前記複数の視聴者に渡る前記複数のイベントのそれぞれに対する前記反応を集約するステップと、
前記複数の視聴者に渡る前記複数のイベントのうちの二つ又はそれ以上に対する前記反応を、客観的に比較するステップと、
を備える方法。
【請求項２９】
請求項２８記載の方法であって、更に、前記反応の一貫性、前記反応の総計の又は平均の大きさ、及び前記反応の大きさの変化のうちの一つ又はそれ以上を測定することを介して、前記複数のイベントのうちの二つ又はそれ以上に対する前記反応を比較するステップを備える方法。
【請求項３０】
請求項２８記載の方法であって、更に、前記メディアの前記複数のイベントに対する前記反応に基づいて、前記メディアを得点で評価するステップを備える方法。
【請求項３１】
メディアに対する生理学的反応の比較をサポートする方法であって、
前記メディアにおいて複数の視聴者が相互作用する複数のイベントを決定するステップと、
前記複数の視聴者のそれぞれが前記複数のイベントのそれぞれにおいて費やす時間期間を計算するステップと、
前記複数のイベントそれぞれを視聴する前記複数の視聴者それぞれからの生理学的データを受信及び／又は測定するステップと、
前記複数の視聴者それぞれについて、前記生理学的データから生理学的反応を導き出すステップと、
前記複数の視聴者に渡る前記複数のイベントそれぞれに対する前記反応を集約するステップと、
前記複数のイベントを順番に結合するステップと、
前記順番付けられた複数のイベントに対する前記複数の視聴者からの前記反応の一貫性を計算するステップと、
を備える方法。